(57)【要約】      （修正有）【課題】利用者が移動運動中の時に、楽曲情報を配信する配信装置との通信状態を考慮しながら、再生装置の楽曲情報を最適な状態に維持して再生することができる運動用楽曲情報再生装置、及び配信システム、再生方法、再生プログラムを提供する。【解決手段】ＣＰＵは、利用者が移動運動をしているかどうかを判断する（Ｓ１００）。移動運度をしている場合（Ｓ１００：ＹＥＳ）、通信強度が所定値以上かどうかを判断し（Ｓ１０１）、所定値以上である場合は（Ｓ１０１：ＹＥＳ）、要求信号を送信し（Ｓ１０２）、楽曲情報を受信する（Ｓ１０３）。受信した楽曲情報を記憶する（Ｓ１０４）。曲数が所定数以上かどうかを判断し（Ｓ１０５）、所定数以上の場合（Ｓ１０５：ＹＥＳ）、再生済の取得日時が最も古い楽曲情報を削除し（Ｓ１０６）、そして楽曲情報を再生する（Ｓ１０８）。【選択図】図７
2012002885.tif 000002
【特許請求の範囲】
【請求項１】
走行運動又は歩行運動の少なくとも何れか一方を含む利用者の移動運動中に運動用楽曲情報を再生する再生手段を備えた運動用楽曲情報再生装置において、
前記利用者が移動運動をしているかどうかを検知する運動検知手段と、
前記運動用楽曲情報が複数記憶された運動用楽曲情報配信装置へ要求信号を送信し、前記要求信号に基づいて通信回線を介して前記運動用楽曲情報配信装置から配信された前記運動用楽曲情報を取得する通信手段と、
前記通信手段にて取得した前記運動用楽曲情報を記憶する記憶手段と、
前記運動用楽曲情報配信装置との間の前記通信回線の通信状態が、所定値以上かどうかを判断する通信状態判断手段と、
前記運動検知手段により前記利用者が移動運動していると判断した場合、前記通信状態判断手段による判断結果に基づいて、前記記憶手段に対応する前記運動用楽曲情報の制御を実行する楽曲情報制御手段を備えたことを特徴とする運動用楽曲情報再生装置。
【請求項２】
前記運動用楽曲情報再生装置は、
前記記憶手段に記憶された前記運動用楽曲情報が設定値以上記憶されているかどうかの記憶状態を判断する記憶状態判断手段をさらに備え、
前記記憶状態判断手段により前記運動用楽曲情報が前記設定値以上記憶されていると判断した場合、
前記楽曲情報制御手段は、前記通信手段により取得した前記運動用楽曲情報の取得日時の古い順に、前記記憶手段から前記運動用楽曲情報を削除する処理を実行することを特徴とする請求項１に記載の運動用楽曲情報再生装置。
【請求項３】
前記通信状態判断手段により通信状態が所定値以下であると判断した場合、
前記楽曲情報制御手段は、前記通信手段よる前記運動用楽曲情報の前記要求信号の送信を停止し、前記記憶手段に記憶されている前記運動用楽曲情報を、前記通信状態判断手段により前記通信状態が所定値以上であると判断されるまで再生することを特徴とする請求項１乃至２のいずれか１項に記載の運動用楽曲情報再生装置。
【請求項４】
前記運動用楽曲情報再生装置は、
利用者の移動運動に対応したテンポ情報を取得するテンポ情報取得手段をさらに備え、
前記通信手段は、前記テンポ情報取得手段により取得した前記テンポ情報を前記要求信号に含んで前記運動用楽曲情報配信装置へ送信し、前記テンポ情報に対応した前記運動用楽曲情報を取得することを特徴とする請求項１乃至３のいずれか１項に記載の運動用楽曲情報再生装置。
【請求項５】
前記運動用楽曲情報再生装置は、
利用者により前記運動用楽曲情報の種別情報を取得する種別情報取得手段をさらに備え、
前記通信手段は、前記種別情報取得手段により取得した前記種別情報を前記要求信号に含んで前記運動用楽曲情報配信装置へ送信し、前記種別情報に対応した前記運動用楽曲情報を取得することを特徴とする請求項１乃至４のいずれか１項に記載の運動用楽曲情報再生装置。
【請求項６】
走行運動又は歩行運動の少なくとも何れか一方を含む利用者の移動運動中に、運動用楽曲情報配信装置から運動用楽曲情報を運動楽曲情報再生装置へ配信する運動用楽曲情報配信システムにおいて、
前記運動用楽曲情報再生装置は、
前記運動用楽曲情報を再生する再生手段と、  
前記利用者が移動運動をしているかどうかを検知する運動検知手段と、  
前記運動用楽曲情報配信装置へ要求信号を送信し、前記要求信号に基づいて通信回線を介して前記運動用楽曲情報配信装置から配信された前記運動用楽曲情報を取得する通信手段と、
前記通信手段にて取得した前記運動用楽曲情報を記憶する記憶手段と、
前記運動用楽曲情報配信装置との間の前記通信回線の通信状態が、所定値以上かどうかを判断する通信状態判断手段と、
前記運動検知手段により前記利用者が移動運動していると判断した場合、前記通信状態判断手段による判断結果に基づいて、前記記憶手段に対応する前記運動用楽曲情報の制御を実行する楽曲情報制御手段を備え、
前記運動用楽曲情報配信装置は、
前記運動用楽曲情報再生装置の前記通信手段から送信された前記要求信号を受信する要求信号受信手段と、
前記要求信号受信手段により受信した前記要求信号に基づいて、前記運動用楽曲情報を生成する運動用楽曲情報生成手段と、
前記運動用楽曲情報生成手段により生成された前記運動用楽曲情報を、前記要求信号を送信した前記運動用楽曲情報再生装置へ配信する運動用楽曲情報配信手段を備えたことを特徴とする運動用楽曲情報配信システム。
【請求項７】
前記運動用楽曲情報配信装置は、前記運動用楽曲情報再生装置毎に対応した過去に配信した前記運動用楽曲情報の履歴を履歴情報として記憶する履歴情報記憶手段を備え、
前記運動用楽曲情報配信手段は、前記履歴情報記憶手段に記憶された前記履歴情報に基づいて、未配信の楽曲情報を配信することを特徴とする請求項６に記載の運動用楽曲情報配信システム。
【請求項８】
走行運動又は歩行運動の少なくとも何れか一方を含む利用者の移動運動中に運動用楽曲情報を再生する再生手段を備えた運動用楽曲情報再生装置にて処理する運動用楽曲情報再生方法において、  
前記利用者が移動運動をしているかどうかを検知する運動検知ステップと、  
前記運動用楽曲情報が複数記憶された運動用楽曲情報配信装置へ要求信号を送信し、前記要求信号に基づいて通信回線を介して前記運動用楽曲情報配信装置から配信された前記運動用楽曲情報を取得する通信ステップと、
前記通信ステップにて取得した前記運動用楽曲情報を記憶する記憶ステップと、
前記運動用楽曲情報配信装置との間の前記通信回線の通信状態が、所定値以上かどうかを判断する通信状態判断ステップと、
前記運動検知ステップにより前記利用者が移動運動していると判断した場合、前記通信状態判断ステップによる判断結果に基づいて、前記記憶ステップに対応する前記運動用楽曲情報の制御を実行する楽曲情報制御ステップを備えたことを特徴とする運動用楽曲情報再生方法。
【請求項９】
走行運動又は歩行運動の少なくとも何れか一方を含む利用者の移動運動中に運動用楽曲情報を再生する再生手段を備えた運動用楽曲情報再生装置を実行させる運動用楽曲情報再生プログラムにおいて、
前記利用者が移動運動をしているかどうかを検知する運動検知ステップと、
前記運動用楽曲情報が複数記憶された運動用楽曲情報配信装置へ要求信号を送信し、前記要求信号に基づいて通信回線を介して前記運動用楽曲情報配信装置から配信された前記運動用楽曲情報を取得する通信ステップと、
前記通信ステップにて取得した前記運動用楽曲情報を記憶する記憶ステップと、
前記運動用楽曲情報配信装置との間の前記通信回線の通信状態が、所定値以上かどうかを判断する通信状態判断ステップと、
前記運動検知ステップにより前記利用者が移動運動していると判断した場合、前記通信状態判断ステップによる判断結果に基づいて、前記記憶ステップに対応する前記運動用楽曲情報の制御を実行する楽曲情報制御ステップを、
前記運動用楽曲情報再生装置にて実行させることを特徴とする運動用楽曲情報再生プログラム。
【発明の詳細な説明】
【技術分野】
【０００１】
本発明は、楽曲配信装置から取得される複数の運動用楽曲情報により構成され、利用者が運動中に聴取する運動用楽曲情報を再生する運動用楽曲情報再生装置、及びシステム、方法、プログラム等の技術分野に関する。
【背景技術】
【０００２】
従来から、楽曲（音楽）を聴きながら、利用者は体操、ダンス、エアロビクスなどの運動を行うことが広く行われている。また、近年では、携帯型の楽曲再生プレーヤーが非常に小型化されたため、楽曲を聴きながら、ウォーキング、ジョギング、マラソンなどの屋外での移動運動を行うことが可能になっている。
【０００３】
また、運動中に聴く楽曲のテンポを、その利用者の動きや運動負荷に合ったテンポにするために、利用者の運動テンポとほぼ等しいテンポを有する楽曲情報を自動的に選曲して再生し、また楽曲情報が不足している時は、再生装置以外から楽曲情報を取得できる再生装置が考案されている。（特許文献１）
【先行技術文献】
【特許文献】
【０００４】
【特許文献１】特開２００７−１７２７８４号公報
【発明の概要】
【発明が解決しようとする課題】
【０００５】
しかしながら、上記の再生装置では、屋外で運動中に通信回線を介して所望のテンポの楽曲を他装置から取得する時に、通信状態が考慮されていないので、例えば通信基地の少ない山中等で運動する場合は、楽曲を取得できなくなってしまい、利用者に最適なテンポの楽曲を提供できなくなってしまうという課題がある。
【０００６】
そこで、本発明は利用者が移動運動中の時に、楽曲情報を配信する配信装置との通信状態を考慮しながら、再生装置の楽曲情報を最適な状態に維持して再生することができる運動用楽曲情報再生装置、運動用楽曲情報配信システム、運動用楽曲情報再生方法、及び運動用楽曲情報再生プログラムを提供することを課題とする。
【課題を解決するための手段】
【０００７】
上記課題を解決する為に、請求項１に記載の運動用楽曲情報再生装置は、走行運動又は歩行運動の少なくとも何れか一方を含む利用者の移動運動中に運動用楽曲情報を再生する再生手段を備えた運動用楽曲情報再生装置において、前記利用者が移動運動をしているかどうかを検知する運動検知手段と、前記運動用楽曲情報が複数記憶された運動用楽曲情報配信装置へ要求信号を送信し、前記要求信号に基づいて通信回線を介して前記運動用楽曲情報配信装置から配信された前記運動用楽曲情報を取得する通信手段と、前記通信手段にて取得した前記運動用楽曲情報を記憶する記憶手段と、前記運動用楽曲情報配信装置との間の前記通信回線の通信状態が、所定値以上かどうかを判断する通信状態判断手段と、前記運動検知手段により前記利用者が移動運動していると判断した場合、前記通信状態判断手段による判断結果に基づいて、前記記憶手段に対応する前記運動用楽曲情報の制御を実行する楽曲情報制御手段を備えることを特徴とする。
【０００８】
請求項２に記載の運動用楽曲情報再生装置では、請求項１に記載の構成に加え、前記運動用楽曲情報再生装置は、前記記憶手段に記憶された前記運動用楽曲情報が設定値以上記憶されているかどうかの記憶状態を判断する記憶状態判断手段をさらに備え、前記記憶状態判断手段により前記運動用楽曲情報が前記設定値以上記憶されていると判断した場合、前記楽曲情報制御手段は、前記通信手段により取得した前記運動用楽曲情報の取得日時の古い順に、前記記憶手段から前記運動用楽曲情報を削除する処理を実行することを特徴とする。
【０００９】
請求項３に記載の運動用楽曲情報再生装置では、請求項１乃至２のいずれか１項に記載の構成に加え、前記通信状態判断手段により通信状態が所定値以下であると判断した場合、前記楽曲情報制御手段は、前記通信手段よる前記運動用楽曲情報の前記要求信号の送信を停止し、前記記憶手段に記憶されている前記運動用楽曲情報を、前記通信状態判断手段により前記通信状態が所定値以上であると判断されるまで再生することを特徴とする。
【００１０】
請求項４に記載の運動用楽曲情報再生装置では、請求項１乃至３のいずれか１項に記載の構成に加え、前記運動用楽曲情報再生装置は、利用者の移動運動に対応したテンポ情報を取得するテンポ情報取得手段をさらに備え、前記通信手段は、前記テンポ情報取得手段により取得した前記テンポ情報を前記要求信号に含んで前記運動用楽曲情報配信装置へ送信し、前記テンポ情報に対応した前記運動用楽曲情報を取得することを特徴とする。
【００１１】
請求項５に記載の運動用楽曲情報再生装置では、請求項１乃至４のいずれか１項に記載の構成に加え、前記運動用楽曲情報再生装置は、利用者により運動用楽曲情報の種別情報を取得する種別情報取得手段をさらに備え、前記通信手段は、前記種別情報取得手段により取得した前記種別情報を前記要求信号に含んで前記運動用楽曲情報配信装置へ送信し、前記種別情報に対応した前記運動用楽曲情報を取得することを特徴とする。
【００１２】
請求項６に記載の運動用楽曲情報配信システムは、走行運動又は歩行運動の少なくとも何れか一方を含む利用者の移動運動中に、運動用楽曲情報配信装置から運動用楽曲情報を運動楽曲情報再生装置へ配信する運動用楽曲情報配信システムにおいて、前記運動用楽曲情報再生装置は、前記運動用楽曲情報を再生する再生手段と、前記利用者が移動運動をしているかどうかを検知する運動検知手段と、前記運動用楽曲情報配信装置へ要求信号を送信し、前記要求信号に基づいて通信回線を介して前記運動用楽曲情報配信装置から配信された前記運動用楽曲情報を取得する通信手段と、前記通信手段にて取得した前記運動用楽曲情報を記憶する記憶手段と、前記運動用楽曲情報配信装置との間の前記通信回線の通信状態が、所定値以上かどうかを判断する通信状態判断手段と、前記運動検知手段により前記利用者が移動運動していると判断した場合、前記通信状態判断手段による判断結果に基づいて、前記記憶手段に対応する前記運動用楽曲情報の制御を実行する楽曲情報制御手段を備え、前記運動用楽曲情報配信装置は、前記運動用楽曲情報再生装置の前記送信手段から送信された前記要求信号を受信する要求信号受信手段と、前記要求信号受信手段により受信した前記要求信号に基づいて、前記運動用楽曲情報を生成する運動用楽曲情報生成手段と、前記運動用楽曲情報生成手段により生成された前記運動用楽曲情報を、前記要求信号を送信した前記運動用楽曲情報再生装置へ配信する運動用楽曲情報配信手段を備えたことを特徴とする。
【００１３】
請求項７に記載の運動用楽曲情報配信システムでは、請求項６に記載の構成に加え、前記運動用楽曲情報配信装置は、前記運動用楽曲情報再生装置毎に対応した過去に配信した前記運動用楽曲情報の履歴を履歴情報として記憶する履歴情報記憶手段を備え、前記運動用楽曲情報配信手段は、前記履歴情報記憶手段に記憶された前記履歴情報に基づいて、未配信の楽曲情報を配信することを特徴とする。
【００１４】
請求項８に記載の運動用楽曲情報再生方法は、走行運動又は歩行運動の少なくとも何れか一方を含む利用者の移動運動中に運動用楽曲情報を再生する再生手段を備えた運動用楽曲情報再生装置にて処理する運動用楽曲情報再生方法において、前記利用者が移動運動をしているかどうかを検知する運動検知ステップと、前記運動用楽曲情報が複数記憶された運動用楽曲情報配信装置へ要求信号を送信し、前記要求信号に基づいて通信回線を介して前記運動用楽曲情報配信装置から配信された前記運動用楽曲情報を取得する通信ステップと、前記通信ステップにて取得した前記運動用楽曲情報を記憶する記憶ステップと、前記運動用楽曲情報配信装置との間の前記通信回線の通信状態が、所定値以上かどうかを判断する通信状態判断ステップと、前記運動検知ステップにより前記利用者が移動運動していると判断した場合、前記通信状態判断ステップによる判断結果に基づいて、前記記憶ステップに対応する前記運動用楽曲情報の制御を実行する楽曲情報制御ステップを備えたことを特徴とする。
【００１５】
請求項９に記載の運動用楽曲情報再生プログラムは、走行運動又は歩行運動の少なくとも何れか一方を含む利用者の移動運動中に運動用楽曲情報を再生する再生手段を備えた運動用楽曲情報再生装置を実行させる運動用楽曲情報再生プログラムにおいて、前記利用者が移動運動をしているかどうかを検知する運動検知ステップと、前記運動用楽曲情報が複数記憶された運動用楽曲情報配信装置へ要求信号を送信し、前記要求信号に基づいて通信回線を介して前記運動用楽曲情報配信装置から配信された前記運動用楽曲情報を取得する通信ステップと、前記通信ステップにて取得した前記運動用楽曲情報を記憶する記憶ステップと、前記運動用楽曲情報配信装置との間の前記通信回線の通信状態が、所定値以上かどうかを判断する通信状態判断ステップと、前記運動検知ステップにより前記利用者が移動運動していると判断した場合、前記通信状態判断ステップによる判断結果に基づいて、前記記憶ステップに対応する前記運動用楽曲情報の制御を実行する楽曲情報制御ステップを前記運動用楽曲情報再生装置にて実行させることを特徴とする。
【発明の効果】
【００１６】
請求項１に記載の運動用楽曲情報再生装置は、走行運動又は歩行運動の少なくとも何れか一方を含む利用者の移動運動中に運動用楽曲情報を再生する。また、利用者が移動運動をしているかどうかを検知する。そして、運動用楽曲情報が複数記憶された運動用楽曲情報配信装置へ要求信号を送信し、要求信号に基づいて通信回線を介して運動用楽曲情報配信装置から配信された運動用楽曲情報を取得する。そして、取得した運動用楽曲情報を記憶する。さらに、運動用楽曲情報配信装置との間の通信回線の通信状態が、所定値以上かどうかを判断する。そして、利用者が移動運動していると判断した場合、通信状態の判断結果に基づいて、記憶されている運動用楽曲情報の制御を実行する。よって、移動運動をする利用者は、運動用楽曲情報再生装置を携帯して運動をしている場合、運動用楽曲情報を配信する運動用楽曲情報配信装置との通信回線状態に応じて、運動用楽曲情報再生装置内の運動用楽曲情報を最適な状態に制御しながら再生することができる。
【００１７】
請求項２に記載の運動用楽曲情報再生装置では、請求項１に記載の効果に加え、運動用楽曲情報再生装置は、記憶された運動用楽曲情報が設定値以上記憶されているかどうかの記憶状態を判断する。記憶状態の判断により運動用楽曲情報が設定値以上記憶されていると判断した場合、通信回線を介して取得した運動用楽曲情報の取得日時の古い順に、運動用楽曲情報を削除する。よって、移動運動をする利用者は、運動用楽曲情報再生装置を携帯して運動をしている場合、運動用楽曲情報を設定された曲数に維持するため、取得日時の古い運動用楽曲情報を削除することで、より新しい運動用楽曲情報を取得して再生することができる。したがって、利用者は、運動用楽曲情報に飽きることなく、より新しい運動用楽曲情報を再生しながら移動運動をすることができるようになる。
【００１８】
請求項３に記載の運動用楽曲情報再生装置では、請求項１乃至２のいずれか１項に記載の効果に加え、通信状態が所定値以下であると判断した場合、運動用楽曲情報の要求信号の送信を停止し、記憶されている運動用楽曲情報を、通信状態が所定値以上であると判断されるまで再生する。よって、移動運動をする利用者は、運動用楽曲情報再生装置を携帯して運動をしている場合、運動用楽曲情報配信装置との通信回線の通信状態が悪い時は、運動用楽曲情報の配信を停止させ、通信状態が回復するまで、記憶されている運動用楽曲情報を繰り返し再生することができる。したがって、利用者は、通信回線の通信状態が一時的に悪くなっても、通信状態が良くなるまで運動用楽曲情報を適切な状態で再生しながら移動運動をすることができる。
【００１９】
請求項４に記載の運動用楽曲情報再生装置では、請求項１乃至３のいずれか１項に記載の効果に加え、運動用楽曲情報再生装置は、利用者の移動運動に対応したテンポ情報を取得する。そして、取得したテンポ情報を要求信号に含んで運動用楽曲情報配信装置へ送信し、テンポ情報に対応した運動用楽曲情報を取得する。よって、移動運動をする利用者は、運動用楽曲情報再生装置を携帯して運動をしている場合、移動運動に対応したテンポの運動用楽曲情報を取得できるので、より運動に適した運動用楽曲情報を再生しながら移動運動をすることができるようになる。
【００２０】
請求項５に記載の運動用楽曲情報再生装置では、請求項１乃至４のいずれか１項に記載の効果に加え、運動用楽曲情報再生装置は、利用者により運動用楽曲情報の種別情報を取得する。そして、取得した種別情報を要求信号に含んで運動用楽曲情報配信装置へ送信し、種別情報に対応した運動用楽曲情報を取得する。よって、移動運動をする利用者は、運動用楽曲情報再生装置を携帯して運動をしている場合、利用者の好みの種別の運動用楽曲情報を取得できるので、より利用者の嗜好に適した運動用楽曲情報を再生しながら移動運動をすることができるようになる。
【００２１】
請求項６に記載の運動用楽曲情報配信システムは、走行運動又は歩行運動の少なくとも何れか一方を含む利用者の移動運動中に、運動用楽曲情報配信装置から運動用楽曲情報を運動楽曲情報再生装置へ配信する運動用楽曲情報配信システムにおいて、運動用楽曲情報再生装置は、運動用楽曲情報を再生し、また利用者が移動運動をしているかどうかを検知する。また、運動用楽曲情報配信装置へ要求信号を送信し、要求信号に基づいて通信回線を介して運動用楽曲情報配信装置から配信された運動用楽曲情報を取得する。そして、取得した運動用楽曲情報を記憶する。また、運動用楽曲情報配信装置との間の通信回線の通信状態が、所定値以上かどうかを判断する。また、利用者が移動運動していると判断した場合、通信状態の判断結果に基づいて、運動用楽曲情報の制御を実行する。運動用楽曲情報配信装置は、運動用楽曲情報再生装置から送信された要求信号を受信する。そして受信した要求信号に基づいて、運動用楽曲情報を生成し、生成された運動用楽曲情報を、要求信号を送信した運動用楽曲情報再生装置へ配信する。よって、移動運動をする利用者は、運動用楽曲情報再生装置を携帯して運動をしている場合、運動用楽曲情報を配信する運動用楽曲情報配信装置との通信回線状態に応じて、運動用楽曲情報再生装置内の運動用楽曲情報を最適な状態に制御しながら再生することができる。
【００２２】
請求項７に記載の運動用楽曲情報配信システムでは、請求項６に記載の効果に加え、運動用楽曲情報配信装置は、運動用楽曲情報再生装置毎に対応した過去に配信した前記運動用楽曲情報の履歴を履歴情報として記憶する。そして記憶された履歴情報に基づいて、未配信の楽曲情報を配信する。よって、移動運動をする利用者は、運動用楽曲情報再生装置を携帯して運動をしている場合、運動用楽曲情報配信装置から常に新しい運動用楽曲情報を取得できるようになるので、利用者は飽きることなく運動用楽曲情報を最適な状態に制御しながら再生することができる。
【００２３】
請求項８に記載の運動用楽曲情報再生方法は、走行運動又は歩行運動の少なくとも何れか一方を含む利用者の移動運動中に運動用楽曲情報を再生する。また、利用者が移動運動をしているかどうかを検知する。また、運動用楽曲情報が複数記憶された運動用楽曲情報配信装置へ要求信号を送信し、要求信号に基づいて通信回線を介して運動用楽曲情報配信装置から配信された運動用楽曲情報を取得する。そして、取得した運動用楽曲情報を記憶する。さらに、運動用楽曲情報配信装置との間の通信回線の通信状態が、所定値以上かどうかを判断する。そして、利用者が移動運動していると判断した場合、通信状態の判断結果に基づいて、記憶されている運動用楽曲情報の制御を実行する。よって、移動運動をする利用者は、運動用楽曲情報再生装置を携帯して運動をしている場合、運動用楽曲情報を配信する運動用楽曲情報配信装置との通信回線状態に応じて、運動用楽曲情報再生装置内の運動用楽曲情報を最適な状態に制御しながら再生することができる。
【００２４】
請求項９に記載の運動用楽曲情報再生プログラムは、走行運動又は歩行運動の少なくとも何れか一方を含む利用者の移動運動中に運動用楽曲情報を再生する。また、利用者が移動運動をしているかどうかを検知する。また、運動用楽曲情報が複数記憶された運動用楽曲情報配信装置へ要求信号を送信し、要求信号に基づいて通信回線を介して運動用楽曲情報配信装置から配信された運動用楽曲情報を取得する。そして、取得した運動用楽曲情報を記憶する。さらに、運動用楽曲情報配信装置との間の通信回線の通信状態が、所定値以上かどうかを判断する。そして、利用者が移動運動していると判断した場合、通信状態の判断結果に基づいて、運動用楽曲情報の制御を実行する。よって、移動運動をする利用者は、運動用楽曲情報再生装置を携帯して運動をしている場合、運動用楽曲情報を配信する運動用楽曲情報配信装置との通信回線状態に応じて、運動用楽曲情報再生装置内の運動用楽曲情報を最適な状態に制御しながら再生することができる。
【図面の簡単な説明】
【００２５】
【図１】運動用楽曲情報配信システムの概略構成図である。
【図２】運動用楽曲情報再生装置１０、運動用楽曲情報配信装置２０の電気的構成図である。
【図３】フラッシュＲＯＭ１４の説明図である。
【図４】運動用楽曲情報配信装置２０で実行されるソフトウエア概略説明図である。
【図５】運動用楽曲情報データベース１４１１の説明図である。
【図６】運動用楽曲情報データベース１４２１の説明図である。
【図７】運動用楽曲情報再生装置１０で実行される楽曲再生処理のフローチャート説明図である。
【図８】運動用楽曲情報配信装置２０で実行される楽曲配信処理のフローチャート説明図である。
【図９】楽曲配信履歴情報データベース２５１１の説明図である。
【発明を実施するための形態】
【００２６】
以下、本発明を具体化した運動用楽曲情報配信システムの実施の形態について、図面を参照して説明する。なお、これらの図面は、本発明が採用しうる技術的特徴を説明するために用いられるものであり、記載されている装置の構成、各種処理のフローチャートなどは、それのみに限定する趣旨ではなく、単なる説明例である。
【００２７】
まず、図１〜図２を参照して、本実施形態の運動用楽曲情報配信システム１（以下、楽曲配信システム１と記す）の概略構成、電気的構成について、順に説明する。
【００２８】
図１に示すように、楽曲配信システム１は、配信装置の一例としての運動用楽曲情報配信装置２０（以下、楽曲配信装置２０と記す）と、端末装置の一例としての複数の運動用楽曲情報再生装置１０（以下、楽曲再生装置１０と記す）と、を含んで構成されている。
【００２９】
楽曲配信装置２０と楽曲再生装置１０とは、通信回線２を介して、例えば、通信プロトコルにＴＣＰ／ＩＰ（Transmission Control Protocol/Internet Protocol）等を用いて相互にデータの送受信が可能である。なお、通信回線２は、例えば、インターネット、専用通信回線（例えば、ＣＡＴＶ（Community Antenna Television）回線）、移動体通信網（基地局等を含む）、及びゲートウェイ等により構築されている。
【００３０】
このような構成の楽曲配信システム１において、楽曲配信装置２０は、楽曲再生装置１０からの要求等に応じ、聴取用楽曲の一例として、利用者がジョギングしている最中に聴く楽曲のデータである運動用楽曲情報を作成し、この運動用楽曲情報を楽曲再生装置１０に送信する。本実施形態では、楽曲再生装置１０からの要求に、楽曲のテンポ情報や、楽曲のジャンル（ＰＯＰＳ、ＪＡＺＺ、ロック、演歌等）を識別する種別情報も含ませることができるようになっている。そして、運動する利用者は、その運動に適した運動用楽曲情報を楽曲配信装置２０から受信して再生させることにより、運動用楽曲を聴きながらジョギング等の運動を行う。
【００３１】
また、本実施形態では、詳細は後述するが、楽曲再生装置１０に楽曲情報を数曲分しか記憶保持できないような設定にして、運動が開始されたことを楽曲再生装置１０が検知すると、常に新しい楽曲情報を楽曲配信装置２０から取得しながら、古い楽曲情報は削除して更新できるようになっている。そうすることで、利用者は、運動中に常に新しい楽曲情報を取得し再生しながら運動をすることができる。
【００３２】
また、運動用楽曲情報が配信されると、その楽曲情報の購入代金（楽曲情報を構成する楽曲やその曲数等に応じた著作権料を含む）がシステム側からユーザに対して請求される。本実施形態の楽曲配信システムでは、例えば、月毎に定額料金を設定し、その料金に対応した曲数まで視聴することができるような料金体系にしても良い。
【００３３】
次に図２を参照して、楽曲配信システム１の楽曲再生装置１０と楽曲配信装置２０の電気的構成について説明する。本実施形態の楽曲再生装置１０は、図２に示す様に、ＣＰＵ１１、ＲＯＭ１２、ＲＡＭ１３、フラッシュＲＯＭ１４と、表示モニタ１５、操作入力手段１６、動作検出手段１７、第１通信手段１８、再生手段１９を備えており、これらはすべてバスで相互に接続されている。
【００３４】
ＣＰＵ１１は、楽曲再生装置１０全体の制御を司る。ＲＯＭ１２は、楽曲再生装置１０の基本的な動作に必要なプログラムや、そのための設定値等を記憶している。ＣＰＵ１１は、ＲＯＭ１２に記憶されたプログラムに従って、楽曲再生装置１０の動作を制御する。ＲＡＭ１３は、各種データを一時的に記憶するための記憶装置である。また、フラッシュＲＯＭ１４は、不揮発性の半導体メモリであり、楽曲情報を記憶するための各種記憶エリアを備えている。
【００３５】
表示モニタ１５は、例えば液晶表示装置や有機ＥＬディスプレイなどの表示機器である。表示モニタ１５は、入力信号に従って画像や文字等を表示画面に表示する機器であり、利用者が楽曲再生装置１０の各種入力操作を行うためのアイコン等を表示する操作画面や、画像データ等を表示する。また、操作入力手段１６は、例えば表示モニタ１５に重ねて配置されるようなタッチパネル機器であり、汎用的に用いられている抵抗膜方式、静電容量方式、超音波表面弾性波方式、赤外線遮光方式などの何れかの方式で、利用者の指によるタッチ入力を検出する機器である。よって、利用者が表示モニタ１５を参照しながらタッチ入力すると、操作入力手段１６はタッチ入力された位置の座標情報を取得することができる。
【００３６】
動作検出手段１７は、図示は省略するが筐体内に備えられており、楽曲再生装置１０自体の姿勢が変化したかどうかを検出する機器である。具体的には、例えば汎用的なセンサとして使用されている、加速度センサ、ジャイロセンサ等を用いれば良いが、これに限るものではなく、楽曲再生装置１０自体の動きを検出できる機器であれば良い。動作検出手段１７は、楽曲再生装置１０に加わる加速度を検出して加速度データを出力するようになっている。
【００３７】
第１通信手段１８は、通信回線２を介して楽曲配信装置２０と要求信号や、楽曲情報を無線で通信を行う機器であり、汎用的な携帯電話機やモバイルＰＣ等で用いられているような無線通信機器を用いれば良い。また、再生手段１９は、フラッシュＲＯＭ１４に記憶されている楽曲情報を、運動している利用者へ聞こえるように再生する機器であり、汎用的なスピーカ機器や、イヤホンを介して楽曲情報を再生する機器である。
【００３８】
次に、図２に示す楽曲配信装置２０は、ＣＰＵ２１、ＲＯＭ２２、ＲＡＭ２３、記憶手段２５と、第２通信手段２４を備えており、これらはすべてバスで相互に接続されている。ＣＰＵ２１は、楽曲配信装置２０全体の制御を司る。ＲＯＭ２２は、楽曲配信装置２０の基本的な動作に必要なプログラムやそのための設定値等を記憶している。ＣＰＵ２１は、ＲＯＭ２２に記憶されたプログラムに従って、楽曲配信装置２０の動作を制御する。ＲＡＭ２３は、各種データを一時的に記憶するための記憶装置である。また、記憶手段２５は、後述する各種楽曲情報に関連する情報が記憶されている。第２通信手段２４は、通信回線２を介して楽曲再生装置１０と要求信号や、楽曲情報を無線で通信を行う機器であり、汎用的な携帯電話機やモバイルＰＣ等との間で用いられている様な無線通信機器を用いれば良い。
【００３９】
次に図３を参照して、フラッシュＲＯＭ１４の構成について説明する。フラッシュＲＯＭ１４は、第１楽曲情報記憶エリア１４１、第２楽曲情報記憶エリア１４２、操作入力情報記憶エリア１４３等を含む複数の各種記憶エリアで構成されている。第１楽曲情報記憶エリア１４１には、楽曲配信装置２０から取得した運動用の楽曲情報が、後述する運動用楽曲情報データベース１４１１として記憶されている。また、第２楽曲情報記憶エリア１４２には、利用者がＰＣを操作して専用ＷＥＢブラウザ等から取り込まれた運動用楽曲情報が、後述する運動用楽曲情報データベース１４２１として記憶されている。操作入力情報記憶エリア１４３には、図示は省略するが、楽曲再生装置１０から取得する楽曲情報のテンポ情報や種別情報等の情報が記憶されている。ここでのテンポ情報とは、一般的なＢＰＭ単位で表わされる情報であり、１分間に打つビート数を数値で示した情報である。また、種別情報は、利用者の選択操作により入力された楽曲情報のジャンルであるＰＯＰＳ、ＪＡＺＺ、ロック、演歌等の情報である。
【００４０】
次に、図４を参照しながら、楽曲配信装置２０の記憶手段２５に記憶されるデータ及びプログラムのソフトウエア構成について説明をする。
【００４１】
記憶手段２５には、運動用楽曲情報を構成するパーツとなる楽曲本体ＭＩＤＩデータ３００、ドラムベースＷＡＶ（Ｗａｖｅｆｏｒｍ  Ａｕｄｉｏ  Ｆｏｒｍａｔ）データ３０１、楽曲本体ＷＡＶパーツデータ書き出しプログラム３０２、楽曲本体ＷＡＶパーツデータ３０３が記憶されている。楽曲本体ＭＩＤＩデータ３００は、楽曲本体ＷＡＶパーツデータ３０３の原曲が記録されたＭＩＤＩ（Musical Instrument Digital Interface）フォーマットのデータであり、その原曲におけるドラムベースＷＡＶデータ３０１に相当するドラムベースパートを除いたパート（すなわち、ギターパート又はボーカルパート等のメロディパート）に相当するＭＩＤＩフォーマットデータである。ドラムベースＷＡＶデータ３０１は、ドラムやシンバル等によるリズム音等が記録されたＷＡＶデータであり、楽曲本体ＭＩＤＩデータ３００の原曲を運動用にアレンジするために用いられるデータである。
【００４２】
楽曲本体ＷＡＶパーツデータ３０３は、運動用の楽曲を構成する主要的な部分である楽曲本体のＷＡＶデータであり、全てのデータが同一のテンポ（本実施形態においては、例えば例えば１４０ＢＰＭ（Beats Per Minute））で記録されている。そして、楽曲本体ＷＡＶパーツデータ３０３は、図３に示す楽曲本体ＭＩＤＩデータ３００とドラムベースＷＡＶデータ３０１とに基づき、楽曲本体ＷＡＶパーツデータ書き出しプログラム３０２を用いて、テンポが調整されて作成される。なお、楽曲本体ＷＡＶパーツデータ書き出しプログラム３０２は、楽曲配信装置２０にインストールされて、ＣＰＵ２１により実行されるようにしても良いし、他の情報処理装置にインストールされて、当該装置上で実行されるようにしても良い。
【００４３】
更にまた、記憶手段２５には、図４に示すパーツＷＡＶデータデータベースプログラム３０６、サーバシステムプログラム３０５、ＷＥＢサイトプログラム３０４等が記憶されている。パーツＷＡＶデータデータベースプログラム３０６は、楽曲配信装置２０のＣＰＵ２１がパーツＷＡＶデータデータベースを管理するためのプログラムであり、各パーツデータの登録要求に応じて、パーツデータを当該データベースに登録したり、サーバシステムプログラム３０５から要求されたパーツデータを当該データベースから取得して、サーバシステムプログラム３０５に渡すためのプログラムである。
【００４４】
サーバシステムプログラム３０５は、楽曲配信装置２０のＣＰＵ２１が、パーツＷＡＶデータデータベースから取得されたパーツデータを用いて、運動用楽曲情報を作成するためのプログラムである。ＷＥＢサイトプログラム３０４は、楽曲配信装置２０のＣＰＵ２１が、楽曲再生装置１０を介して、本実施形態の様な運動用楽曲情報の配信設定等を受け付けるためのＷＥＢサイトを実行させるプログラムである。
【００４５】
次に、図５、６を参照しながら、本実施形態での楽曲再生装置１０のフラッシュロム１４に記憶されている運動用楽曲情報データベース１４１１（以下、楽曲情報ＤＢ１４１１と記す）と運動用楽曲情報データベース１４２１（以下、楽曲情報ＤＢ１４２１と記す）について説明をする。図５に示す楽曲情報ＤＢ１４１１は、楽曲配信装置２０から通信回線を介して取得した運動用楽曲情報のデータベースであり、第１楽曲情報記憶エリア１４１（図３）に記憶されている。楽曲情報ＤＢ１４１１は、楽曲識別情報、取得日時、再生フラグが対応付けて記憶される。楽曲識別情報の項目には、楽曲情報を識別するための情報であり、例えば楽曲配信装置２０から配信された際のファイル名等を用いるものとする。また、取得日時の項目には、楽曲配信装置２０から配信された日時情報が記憶されている。再生フラグの項目には、楽曲再生装置１０で再生された状態を、例えば１という数値で記憶し、未再生の状態の楽曲情報には０として記憶するものとする。また、本実施形態では、楽曲情報ＤＢ１４１１には、予め設定された曲数（本実施例では、１０曲とする）しか記憶できないような設定になっており、詳細な説明は後述するが、設定曲数を超える場合は、取得日時の古い楽曲から順に自動で削除されるようになっている。
【００４６】
また、図６に示す楽曲情報ＤＢ１４２１は、楽曲配信装置２０以外のＰＣ等から取得した運動用楽曲情報のデータベースであり、第２楽曲情報記憶エリア１４２（図３）に記憶されている。楽曲情報ＤＢ１４２１は、楽曲識別情報、取得日時が対応付けて記憶される。楽曲識別情報の項目には、楽曲情報を識別するための情報であり、例えばＰＣからダウンロードされた際のファイル名等を用いるものとする。また、取得日時の項目には、ＰＣから取得した日時情報が記憶されている。本実施形態では、楽曲情報ＤＢ１４２１に、曲数の設定値は無く、可能な限り楽曲情報を記憶できるようになっているものとする。
【００４７】
次に、図７を参照しながら、楽曲再生装置１０において実行される楽曲再生処理について説明する。図７に示す楽曲再生処理は、ＲＯＭ１２に記憶されたプログラムに従って、ＣＰＵ１１が実行する処理である。
【００４８】
図７に示す楽曲再生処理は、楽曲再生装置１０の電源がＯＮになっている状態で、利用者の操作により、運動用楽曲再生アプリを起動されることで開始される。まず初めに、ＣＰＵ１１は、利用者が移動運動をしているかどうかを判断する（Ｓ１００）。具体的には、楽曲再生装置１０を携帯した利用者が、ジョギングやウォーキング運動をしているかどうかを、動作検出手段１７の検出結果で判断する。動作検出手段１７は、ジョギングやウォーキング等の移動運動による加速度の変化状態を検出し、例えば、所定値以上の加速度が周期的に繰り返し検出されるようになっているかどうかで判断するものとする。そして、ステップＳ１００の処理で、ＣＰＵ１１は、移動運動していないと判断した場合（Ｓ１００：ＮＯ）、再度移動運動を開始するまで待機する。
【００４９】
また、ステップＳ１００の処理で、ＣＰＵ１１は、移動運度をしていると判断した場合（Ｓ１００：ＹＥＳ）、次に、通信強度が所定値以上かどうかを判断する（Ｓ１０１）。具体的には、楽曲再生装置１０の第１通信手段１８から通信回線２を介して楽曲配信装置２０の第２通信手段２４との間の通信強度を計測し、楽曲情報を受信可能なレベルの通信状態であるかどうかを判断するための処理である。通信強度を計測する方法は、汎用的な無線通信技術で用いられている様な計測方法でよく、詳細な説明は省略する。
【００５０】
ステップＳ１０１の処理で、ＣＰＵ１１は、通信強度が所定値以上であると判断した場合（Ｓ１０１：ＹＥＳ）、次に、要求信号送信処理を実行する（Ｓ１０２）。ここでは、具体的には、楽曲配信装置２０に対して通信回線２を介して、運動用楽曲情報を配信するように要求する要求信号を送信する処理を実行する。また、要求する運動用楽曲情報のテンポ情報や、種別情報が楽曲再生装置１０に予め登録されている場合は、それらの情報を含ませた要求信号を、第１通信手段１８を介して送信する。また、ステップＳ１０１の処理で、ＣＰＵ１１は、通信強度が所定値以上でないと判断した場合（Ｓ１０１：ＮＯ）、次に、後述するステップＳ１０７の処理へ移行する。
【００５１】
ステップＳ１０２の処理の次に、ＣＰＵ１１は、楽曲情報受信処理を実行する（Ｓ１０３）。具体的には、ステップＳ１０２で送信された要求信号に基づいて、楽曲配信装置２０から配信された楽曲情報を、第１通信手段１８を介して受信する処理を実行する。
【００５２】
ステップＳ１０３の処理の後、ＣＰＵ１１は、ステップＳ１０３の処理で受信した楽曲情報を第１楽曲情報記憶エリアへ記憶する処理を実行する（Ｓ１０４）。ステップＳ１０４の処理にて、ステップＳ１０３の処理で受信した楽曲情報を、取得した日時情報と対応付けして楽曲情報ＤＢ１４１１へ記憶する。また、取得した楽曲情報に対応する再生フラグの項目は、再生されるまで０が記憶される。
【００５３】
次に、ＣＰＵ１１は、第１楽曲情報の記憶エリアの曲数は所定数以上になったかどうかを判断する（Ｓ１０５）。具体的には、ステップＳ１０４の処理で取得した楽曲情報を、楽曲情報ＤＢ１４１１に追加記憶した時、曲数が所定数（例えば、１０曲）以上になったかどうかを判断する。そして、ＣＰＵ１１は、所定数以上になっていないと判断した場合は（Ｓ１０５：ＮＯ）、次に第１楽曲情報記憶エリア１４１の中から、楽曲情報が選択できるかどうかを判断する（Ｓ１０７）。具体的には、第１楽曲情報記憶エリア１４１の中の楽曲情報ＤＢ１４１１に再生できる楽曲情報が記憶されているかどうかを判断する。ここでは、楽曲情報ＤＢ１４１１に記憶されている楽曲情報の再生プラグの項目が０の楽曲情報が有る場合は、優先的に選択されるようになっているが、全て再生フラグが１になっている場合でも、記憶されている順に再生するようにしてもよい。
【００５４】
また、ステップＳ１０５の処理で、ＣＰＵ１１は、第１楽曲情報記憶エリア１４１の曲数が所定数以上になったと判断した場合（Ｓ１０５：ＹＥＳ）、次に、第１楽曲情報記憶エリアの中の再生済の取得日時が最も古い楽曲情報を削除する（Ｓ１０６）。つまり、ステップＳ１０５の処理で、第１楽曲情報記憶エリア１４１の楽曲情報ＤＢ１４１１に、新たに楽曲情報が追加された時に所定曲数を超えた場合、再生フラグが１となっている楽曲情報の中の、取得日時情報が最も古い楽曲情報を削除する。本実施形態での図５の場合では、再生フラグが１となっていて取得日時が最も古い楽曲情報であるＡ１が削除されることになる。
【００５５】
そして、ステップＳ１０７の処理で、ＣＰＵ１１は、第１楽曲情報記憶エリア１４１の中から楽曲情報が選択できると判断した場合（Ｓ１０７：ＹＥＳ）、次に、楽曲情報再生処理を実行する（Ｓ１０９）。ステップＳ１０９の処理では、ステップＳ１０７の処理で選択された楽曲情報が利用者に聞こえるように再生手段１９を介して再生される。また、ステップＳ１０９の処理が実行されると、楽曲情報ＤＢ１４１１の再生フラグの項目が０の場合は、１に更新する処理も実行する。
【００５６】
また、ステップＳ１０７の処理で、ＣＰＵ１１は、第１楽曲情報記憶エリア１４１の中から楽曲情報が選択できないと判断した場合（Ｓ１０７：ＮＯ）、次に、第２楽曲情報記憶エリア１４２の中から、楽曲情報を選択する（Ｓ１０８）。具体的には、第２楽曲情報記憶エリア１４２の楽曲情報ＤＢ１４２１に予め記憶されている楽曲情報を、例えば取得日時順に選択する処理が実行される。
【００５７】
そして、ステップＳ１０９の処理の後、ＣＰＵ１１は、アプリ終了の指示があるかどうかを判断する（Ｓ１１０）。ステップＳ１１０の処理では、運動している利用者の操作により、起動している運動用楽曲再生アプリを終了する操作指示があるかどうかで判断する。そして、ステップＳ１１０の処理で、ＣＰＵ１１は、アプリの終了指示は無いと判断した場合（Ｓ１１０：ＮＯ）、再度ステップＳ１００の処理へ戻り、以降の処理を繰り返し実行する。また、ステップＳ１１０の処理で、ＣＰＵ１１は、アプリ終了指示が有ったと判断した場合（Ｓ１１０：ＹＥＳ）、本処理を終了する。
【００５８】
次に、図８を参照しながら、楽曲配信装置２０において実行される楽曲配信処理について説明する。図８に示す楽曲配信処理は、ＲＯＭ２２に記憶されたプログラムに従って、ＣＰＵ２１が実行する処理である。
【００５９】
まず初めに、ＣＰＵ２１は、要求信号を受信したかどうかを判断する（S３００）。具体的には、楽曲再生装置１０でのステップＳ１０２の処理で送信された要求信号を、第２通信手段２４にて受信したかどうかを判断する。そして、ステップＳ３００の処理で、ＣＰＵ２１は、受信していないと判断した場合（Ｓ３００：ＮＯ）、繰り返しステップＳ３００の処理を実行する。また、ステップＳ３００の処理で、ＣＰＵ２１は、要求信号を受信したと判断した場合（Ｓ３００：ＹＥＳ）、次に要求信号に含まれているテンポ情報、種別情報を取得する（Ｓ３０１）。また、本実施形態では、テンポ情報、種別情報は、要求信号に含まれて受信するように記載したが、図４のＷＥＢサイトプログラム３０４が実行されている時に、利用者がＷＥＢサイトから登録できるようにしても良い。
【００６０】
次に、ＣＰＵ２１は、履歴情報から未配信楽曲情報を選択する（Ｓ３０２）。ここで、図９を参照しながら、楽曲配信履歴情報データベース２５１１（以下、履歴情報ＤＢ２５１１と記す）の説明をする。履歴情報ＤＢ２５１１は、楽曲配信装置２０の記憶手段２５に記憶されているデータベースであり、配信先である楽曲再生装置１０毎に、さらに楽曲の種別情報毎にそれぞれに対応して記憶されているものとする。履歴情報ＤＢ２５１１は、楽曲識別情報と、配信日時の項目が対応付けられて記憶されている。楽曲識別情報は、楽曲情報を識別する情報であり、配信日時は、楽曲再生装置１０へ配信された日時情報が記憶されている。また、未配信の楽曲情報の配信日時の項目には、未配信を示す情報が記憶されている。例えば図９に示す履歴情報ＤＢ２５１１では、楽曲識別情報Ａ１〜Ａ１０までは、既に配信済であることを示し、楽曲識別情報Ａ１１、Ａ１２は、まだ未配信であることを示しているものとする。
【００６１】
よって、ステップＳ３０２の処理では、ＣＰＵ２１は、ステップＳ３０１で取得した種別情報に対応した楽曲情報の中から、未配信の楽曲情報を選択し、次に選択された楽曲情報のテンポ調整処理を実行する（Ｓ３０３）。具体的には、ステップＳ３０３の処理では、図４を参照して説明した処理で、楽曲本体ＭＩＤＩデータ３００とドラムベースＷＡＶデータ３０１とに基づき、楽曲本体ＷＡＶパーツデータ書き出しプログラム３０２を用いて、ステップＳ３０１の処理で取得したテンポに調整されて、楽曲本体ＷＡＶパーツデータ３０３が生成される処理を実行する。
【００６２】
そして、ステップＳ３０３の処理の後、ＣＰＵ２１は、フォーマット変換処理を実行する（Ｓ３０４）。具体的には、図３に示すサーバシステムプログラム３０５によって、楽曲本体ＷＡＶデータ３０３を、例えばＭＰ３フォーマット等に変換する処理を実行する。
【００６３】
次に、ステップＳ３０４の処理で変換された楽曲情報を、ＣＰＵ２１は、配信処理を実行し（Ｓ３０５）、本処理を終了する。ステップＳ３０５の処理では、ステップＳ３００の処理で受信した要求信号に対応した楽曲再生装置１０に対して、ステップＳ３０４の処理で生成された楽曲情報を送信する。また、ステップＳ３０５の処理にて配信処理が行われると、履歴情報ＤＢ２５１１の配信日時を更新する処理も実行する。
【００６４】
したがって、上述した本実施形態の楽曲再生処理（図７）、楽曲配信処理（図８）を実行することにより、移動運動をする利用者は、楽曲再生装置１０を携帯して運動をしている場合、運動用楽曲情報を配信する楽曲配信装置２０との通信回線状態に応じて、運動用楽曲情報再生装置１０内に記憶されている運動用楽曲情報を最適な状態に制御しながら再生することができる。さらに、運動用楽曲情報を設定された曲数に維持するため、取得日時の古い運動用楽曲情報を削除することで、より新しい運動用楽曲情報を取得して再生することができる。また、通信回線の通信状態が一時的に悪くなっても、通信状態が良くなるまで運動用楽曲情報を適切な状態で再生しながら移動運動をすることもできる。また、移動運動に対応したテンポの運動用楽曲情報を取得できるので、より運動に適した運動用楽曲情報を再生しながら移動運動をすることができる。また、利用者の好みの種別の運動用楽曲情報を取得できるので、より利用者の嗜好に適した運動用楽曲情報を再生しながら移動運動をすることができる。
【００６５】
なお、上述で説明した本実施形態に示される構成や処理は例示であり、各種の変形が可能なことは言うまでもない。例えば、本実施形態では、図３に示す様に、第１楽曲情報記憶エリア１４１と第２楽曲情報記憶エリア１４２に、それぞれの記憶エリアに楽曲情報ＤＢ１４１１と楽曲情報ＤＢ１４２１に分けて楽曲情報を制御するように記載したがこれに限るものではない。例えば、１つの楽曲情報ＤＢにまとめて記憶しても、ステップＳ１０６（図７）の削除対象となる楽曲情報がどれかが分かるようにフラグを立てるようにしても良い。
【００６６】
また、本実施形態では、ステップＳ３０５の処理にて、生成された楽曲情報を１曲単位で送信するように記載したが、これに限るものではない。例えば、従来から実施されているストリーミング方式の様に、送信する曲の認証情報と、１曲を複数に分割したパーツ情報を順番に送信するようにしてもよい。また、ステップＳ３０５の処理で、１曲単位で送信するのか、ストリーミング方式で送信するのかを、利用者が選択登録した料金体系に基づいて選択できるようにしても良い。
【００６７】
また、本実施形態では、第１楽曲情報記憶エリア１４１に所定の曲数（本実施形態では１０曲）まで記憶できるように記載したが、これに限るものではない。また、本実施形態での楽曲再生処理のアプリが終了された時に（Ｓ１１０）、第１楽曲情報記憶エリア１４１に記憶されている楽曲情報を全て削除するようにしても良い。また、ステップＳ１１０の処理が実行される前に、第１楽曲情報記憶エリア１４１に記憶されている楽曲情報の中で、利用者が保存しておきたい楽曲情報がある場合は、楽曲再生装置１０を操作して保存したい楽曲情報を選択できるようにしても良い。
【００６８】
また、本実施形態の楽曲テンポ情報の設定については、利用者が楽曲再生装置１０か、または楽曲配信装置２０のＷＥＢサーバに登録するように記載したが、これに限るものではない。例えば、楽曲再生装置１０の動作検出手段１７の検出結果から、利用者が運動しているテンポを解析して、その結果をステップＳ１０２の処理の要求信号に含ませて送信するようにしても良い。
【符号の説明】
【００６９】
１０  運動用楽曲情報再生装置
１４１１  第１楽曲情報記憶エリア１４１に記憶される運動用楽曲情報データベース
１４２１  第２楽曲情報記憶エリア１４２に記憶される運動用楽曲情報データベース
２０  運動用楽曲情報配信装置
２５１１  楽曲配信履歴情報データベース
【図１】
2012002885.tif 000003
【図２】
2012002885.tif 000004
【図３】
2012002885.tif 000005
【図４】
2012002885.tif 000006
【図５】
2012002885.tif 000007
【図６】
2012002885.tif 000008
【図７】
2012002885.tif 000009
【図８】
2012002885.tif 000010
【図９】
2012002885.tif 000011